(57)【要約】【課題】農産物を冷蔵する農産物保冷庫の天井面に設置される農産物保冷庫用冷蔵ユニットにおいて、外郭部分に結露が発生しにくく、冷却性能を向上させる。【解決手段】樹脂製ベース３と、断熱材からなり冷却器５の下側を断熱し樹脂製ベース３によって保持される下側断熱部４と、断熱材からなり下側断熱部４の上に下側断熱部４と嵌合して配置され下側断熱部４と共に冷却器５を断熱する上側断熱部２とを備え、樹脂製ベース３における下側断熱部４を保持する部分は、上側断熱部２と下側断熱部４とで断熱された冷却空間に露出しないように下側断熱部４の周囲を押さえ込む形状になっている。【選択図】図１
2012184855.tif 000002
【特許請求の範囲】
【請求項１】
農産物を冷蔵する農産物保冷庫の天井面に設置される農産物保冷庫用冷蔵ユニットであって、下部に位置し冷蔵ユニットの構成部品を設置する樹脂製のベースと、断熱材からなり冷却器の下側を断熱し前記ベースによって保持される下側断熱部と、断熱材からなり前記下側断熱部の上に前記下側断熱部と嵌合して配置され前記下側断熱部と共に前記冷却器を断熱する上側断熱部とを備え、前記ベースにおける前記下側断熱部を保持する部分は、前記上側断熱部と前記下側断熱部とで断熱された冷却空間に露出しないように前記下側断熱部の周囲を押さえ込む形状になっている農産物保冷庫用冷蔵ユニット。
【請求項２】
前記冷却器の下側且つ前記下側断熱部の上側で冷却器の結露水を受ける露受皿を、前記露受皿の長手方向の両側で前記ベースに接合し、前記接合部の一方に前記露受皿で受けた前記結露水を前記上側断熱部及び前記下側断熱部の外側に導く排水路を形成した請求項１記載の農産物保冷庫用冷蔵ユニット。
【請求項３】
前記冷却器の下側且つ前記下側断熱部の上側で冷却器の結露水を受ける露受皿を、前記露受皿の長手方向の片側で前記ベースに接合し、前記接合部に前記露受皿で受けた前記結露水を前記上側断熱部及び前記下側断熱部の外側に導く排水路を形成した請求項１記載の農産物保冷庫用冷蔵ユニット。
【請求項４】
前記露受皿を、前記ベースと一体に樹脂成形した請求項２または３に記載の農産物保冷庫用冷蔵ユニット。
【発明の詳細な説明】
【技術分野】
【０００１】
本発明は、農産物を冷蔵する農産物保冷庫の天井面に設置される農産物保冷庫用冷蔵ユニットに関するものである。
【背景技術】
【０００２】
従来、この種の農産物保冷庫用冷蔵ユニットは、外郭構造の部分は板金で構成しているが、軽量化や部品点数の削減による合理化を目的として、特に外郭下部のベース部分に樹脂を用いて形成したものがある（例えば、特許文献１参照）。
【０００３】
以下、図面を参照しながら特許文献１に記載された従来の農産物保冷庫用冷蔵ユニットを説明する。図５は、特許文献１に記載された従来の農産物保冷庫用冷蔵ユニットを示すものである。
【０００４】
図５に示すように、従来の冷蔵ユニット１１は、の外郭下部となる樹脂製ベース１２と、冷却器１３と、冷却器１３を上方から囲う上側断熱箱（図示せず）と、外郭上部となるパネル１４から構成されている。
【０００５】
農作物保冷庫は、図６に示すように、前面に扉を有した断熱性の高い保冷庫本体１５の上部に冷蔵ユニット１１を備え、冷却風を図７に示す保冷庫本体１５の天面１６の開口１７から庫内に流し込むよう構成している。
【０００６】
冷蔵ユニット１１の内部構造は、図５に示すように、底面は樹脂で整形された樹脂製ベース１２で、冷却側には保冷庫内の空気を吸い込み、冷却後、吐き出すため、箱状に形成される断熱部の内側に孔が図７の天面１６の開口１７に相対して設けられている。
【０００７】
また冷却側の冷却風は、図６のＡ−Ａ断面図で示す図８の矢印のように流れ、冷却器１３の周囲を発泡材などで形成した下側断熱部１８と上側断熱箱１９にて囲っている。
【０００８】
下側断熱部１８は、図５のＢ−Ｂ断面図で示す図９のように、連続した樹脂製ベース１２の樹脂で囲うよう形成され、保冷庫内の冷気洩れを防止している。また、下側断熱部１８の中央部は冷却器１３を設置する受け部と冷却器１３から発生する結露水を受ける露受皿２０が樹脂製ベース１２と一体化されている。
【０００９】
結露水は露受皿２０から自然に排熱側へ流す構造となっている。排熱側には露受皿２０から流れてきた結露水を受けためておくための蒸発部２１が設けられており、コンプレッサー２２や凝縮器（図示せず）の熱と排熱循環風とで蒸発させて外部に放出する。
【００１０】
このように冷蔵ユニット１１の構成部品は一体化された樹脂製ベース１２上に設置されている。
【先行技術文献】
【特許文献】
【００１１】
【特許文献１】特開２００４−２５１６０８号公報
【発明の概要】
【発明が解決しようとする課題】
【００１２】
しかしながら、上記従来の構成では、冷却部分の内部まで樹脂製ベース１２の樹脂が回
りこむため、発泡材等の下側断熱部１８に対して熱伝導度が高い樹脂を使用するため、冷却器１３で冷却された部分から下側断熱部１８の外部まで冷却され、庫外空気を冷やし樹脂表面から結露水が発生してしまう。
【００１３】
また製品の内側は樹脂製ベース１２が連続して一体化されているため、結露水を受けるように皿上に形成することで結露水を内側にためることが出来るが、製品の外側に当たる部分では、外部に結露水が発生してしまうという課題を有していた。
【００１４】
また、樹脂製ベース１２が一体化しているので、凝縮器やコンプレッサー２２などの熱が樹脂を伝わり下側断熱部１８を通過して冷却部分に入り込むので、冷却性能も下がるという課題を有していた。
【００１５】
本発明は、上記従来の課題を解決するもので、外郭部分に結露が発生しにくく、冷却性能を向上した農産物保冷庫用冷蔵ユニットを提供することを目的とする。
【課題を解決するための手段】
【００１６】
上記目的を達成するために、本発明の農産物保冷庫用冷蔵ユニットは、下部に位置し冷蔵ユニットの構成部品を設置する樹脂製のベースと、断熱材からなり冷却器の下側を断熱し前記ベースによって保持される下側断熱部と、断熱材からなり前記下側断熱部の上に前記下側断熱部と嵌合して配置され前記下側断熱部と共に前記冷却器を断熱する上側断熱部とを備え、前記ベースにおける前記下側断熱部を保持する部分を、前記上側断熱部と前記下側断熱部とで断熱された冷却空間に露出しないように前記下側断熱部の周囲を押さえ込む形状にしたのである。
【００１７】
上記構成により、樹脂製のベースの外気に触れる部分と、上側断熱部と下側断熱部とで断熱された冷却空間（冷却器を収納し、保冷庫内の空気を冷却器で冷却するための風路が形成された空間）に面する部分とは、熱が伝わりにくくなる。
【００１８】
したがって、冷蔵ユニットの外郭部分に結露が発生しにくくなる。また、上側断熱部と下側断熱部で断熱された冷却空間（冷却器を収納し、保冷庫内の空気を冷却器で冷却するための風路が形成された空間）側には熱伝導による熱の進入が減るので、冷却性能が向上することとなり、省エネ性能が高くなる。また、より低い温度で冷却することも出来る。
【発明の効果】
【００１９】
本発明の農産物保冷庫用冷蔵ユニットは、冷却部分の断熱性能が向上しているので、結露などの問題が生じない。また断熱性能が向上しているので、冷却性能が向上され、省エネ性能が高くなる。さらに、断熱性能の向上により、より低い温度で冷却運転することも出来る。
【図面の簡単な説明】
【００２０】
【図１】本発明の実施の形態１における農産物保冷庫用冷蔵ユニットの分解斜視図
【図２】同実施の形態の農産物保冷庫用冷蔵ユニットに用いたベースの斜視図
【図３】同実施の形態の農産物保冷庫用冷蔵ユニットにおける冷却部の風路を示す断面図
【図４】本発明の実施の形態２における農産物保冷庫用冷蔵ユニットに用いたベースの斜視図
【図５】従来の農産物保冷庫用冷蔵ユニットの分解斜視図
【図６】従来の農産物保冷庫の扉を開いた状態の外観斜視図
【図７】従来の農産物保冷庫の扉を閉じた状態の外観斜視図
【図８】図６のＡ−Ａ断面図
【図９】図５のＢ−Ｂ断面図
【発明を実施するための形態】
【００２１】
第１の発明は、農産物を冷蔵する農産物保冷庫の天井面に設置される農産物保冷庫用冷蔵ユニットであって、下部に位置し冷蔵ユニットの構成部品を設置する樹脂製のベースと、断熱材からなり冷却器の下側を断熱し前記ベースによって保持される下側断熱部と、断熱材からなり前記下側断熱部の上に前記下側断熱部と嵌合して配置され前記下側断熱部と共に前記冷却器を断熱する上側断熱部とを備え、前記ベースにおける前記下側断熱部を保持する部分を、前記上側断熱部と前記下側断熱部とで断熱された冷却空間に露出しないように前記下側断熱部の周囲を押さえ込む形状にしたものである。
【００２２】
上記構成において、樹脂製のベースにおける下側断熱部を保持する部分を、上側断熱部と下側断熱部とで断熱された冷却空間（冷却器を収納し、保冷庫内の空気を冷却器で冷却するための風路が形成された空間）に露出しないように下側断熱部の周囲を押さえ込む形状にしたことにより、樹脂製のベースの外気に触れる部分と、上側断熱部と下側断熱部とで断熱された冷却空間（冷却器を収納し、保冷庫内の空気を冷却器で冷却するための風路が形成された空間）に面する部分とは、熱が伝わりにくくなる。
【００２３】
したがって、冷蔵ユニットの外郭部分に結露が発生しにくくなる。また、上側断熱部と下側断熱部で断熱された冷却空間（冷却器を収納し、保冷庫内の空気を冷却器で冷却するための風路が形成された空間）側には熱伝導による熱の進入が減るので、冷却性能が向上することとなり、省エネ性能が高くなる。また、より低い温度で冷却することも出来る。
【００２４】
第２の発明は、特に第１の発明において、前記冷却器の下側且つ前記下側断熱部の上側で冷却器の結露水を受ける露受皿を、前記露受皿の長手方向の両側で前記ベースに接合し、前記接合部の一方に前記露受皿で受けた前記結露水を前記上側断熱部及び前記下側断熱部の外側に導く排水路を形成したものである。
【００２５】
上記構成において、上側断熱部と下側断熱部とで断熱された冷却空間（冷却器を収納し、保冷庫内の空気を冷却器で冷却するための風路が形成された空間）に露出する露受皿は、露受皿の長手方向の両側でのみ樹脂製のベースに接合されており、２箇所の接合部のうちの一方は、露受皿で受けた結露水を上側断熱部及び下側断熱部の外側に導く排水路を兼ねている。
【００２６】
そのため、樹脂製のベースの外気に触れる部分と、上側断熱部と下側断熱部とで断熱された冷却空間に面する部分との熱伝導経路は、主として、露受皿の長手方向の両側（２箇所）の接合部を経由するものに制限される。したがって、上側断熱部と下側断熱部とで断熱された冷却空間の断熱性を高く維持することができる。
【００２７】
また、接合部は、露受皿の長手方向の両側にあるので、ベースに対する露受皿の位置が安定する。
【００２８】
第３の発明は、特に第１の発明において、前記冷却器の下側且つ前記下側断熱部の上側で冷却器の結露水を受ける露受皿を、前記露受皿の長手方向の片側で前記ベースに接合し、前記接合部に前記露受皿で受けた前記結露水を前記上側断熱部及び前記下側断熱部の外側に導く排水路を形成したものである。
【００２９】
上記構成において、上側断熱部と下側断熱部とで断熱された冷却空間（冷却器を収納し、保冷庫内の空気を冷却器で冷却するための風路が形成された空間）に露出する露受皿は、露受皿の長手方向の片側でのみ樹脂製のベースに接合されており、その接合部は、露受
皿で受けた結露水を上側断熱部及び下側断熱部の外側に導く排水路を兼ねている。
【００３０】
そのため、樹脂製のベースの外気に触れる部分と、上側断熱部と下側断熱部とで断熱された冷却空間に面する部分との熱伝導経路は、主として、露受皿の長手方向の片側の排水路を兼ねた接合部を経由するものに制限される。
【００３１】
したがって、第３の発明は、第２の発明よりも、排水路を兼ねない方の接合部を通る熱伝導がなくなるため、さらに熱伝導性が下がり、上側断熱部と下側断熱部とで断熱された冷却空間の断熱性を高く維持することができる。
【００３２】
その結果、第３の発明は、第２の発明よりも、冷蔵ユニットの外郭部分に結露が発生しにくくなる。また、第２の発明よりも、上側断熱部と下側断熱部で断熱された冷却空間（冷却器を収納し、保冷庫内の空気を冷却器で冷却するための風路が形成された空間）側には熱伝導による熱の進入が減るので、第２の発明よりも、冷却性能が向上することとなり、省エネ性能が高くなる。また、第２の発明よりも、より低い温度で冷却することも出来る。
【００３３】
また、冷蔵ユニットの上側断熱部と下側断熱部で断熱された冷却空間（冷却器を収納し、保冷庫内の空気を冷却器で冷却するための風路が形成された空間）が冷却されて、接合部を通る熱伝導により上側断熱部及び下側断熱部の外側でベースに結露が生じる場合であっても、露受皿で受けた結露水を溜めて蒸発させるための蒸発皿部を結露発生箇所近傍に形成すれば、その結露は蒸発皿部に取り込まれるので、結露水の対策を講じる必要がなくなる。
【００３４】
第４の発明は、特に第２または第３の発明において、前記露受皿を、前記ベースと一体に樹脂成形したものであり、露受皿をベースに取り付ける製造工程が不要になり、ベースに対する露受皿の位置が安定し、製造が容易になる。また、露受皿で受けた結露水の排水漏れを防ぎ排水をスムーズに行うことが容易になる。
【００３５】
以下、本発明の農産物保冷庫用冷蔵ユニットの実施の形態について、図面を参照しながら説明する。なお、この実施の形態によって本発明が限定されるものではない。
【００３６】
（実施の形態１）
図１は、本発明の実施の形態１における農産物保冷庫用冷蔵ユニットの分解斜視図を示すものである。図２は、同実施の形態の農産物保冷庫用冷蔵ユニットに用いたベースの斜視図を示すものである。図３は、同実施の形態の農産物保冷庫用冷蔵ユニットにおける冷却部の風路を示す断面図を示すものである。
【００３７】
図１から図３に示すように本実施の形態における農産物保冷庫用冷蔵ユニットは、下部に位置し冷蔵ユニットの構成部品を設置する樹脂製ベース３と、発泡断熱材からなり冷却器５の下側を断熱し周囲が樹脂製ベース３によって保持される下側断熱部４と、発泡断熱材からなり下側断熱部４の上に下側断熱部４と嵌合して配置され下側断熱部４と共に冷却器５を断熱する上側断熱部２と、樹脂製ベース３と共に冷蔵ユニットの外郭を構成する外装パネルとを備える。
【００３８】
なお、樹脂製ベース３における下側断熱部４を保持する部分は、上側断熱部２と下側断熱部４とで断熱された冷却空間（冷却器５と冷却ファン６を収納し、保冷庫内の空気を冷却器５で冷却するための風路が形成された空間）に露出しないように下側断熱部４の周囲を押さえ込む形状になっている。
【００３９】
さらに、冷却器５の下側且つ下側断熱部４の上側で冷却器５の結露水を受ける露受皿７と、上側断熱部２及び下側断熱部４の外側に設けられ露受皿７で受けた結露水を溜めて蒸発させるための蒸発皿部１０は、樹脂製ベース３と一体に樹脂成形され、露受皿７は露受皿７の長手方向の両側でのみ下側断熱部４の周囲を押さえ込む形状部分に接合され、２箇所の接合部のうち蒸発皿部１０に近い側の接合部に露受皿７で受けた結露水を蒸発皿部１０に導く排水路を形成している。
【００４０】
本実施の形態では、排水路が形成された方の接合部を、排水接合部９と称し、排水路が形成されない方の接合部８と区別している。
【００４１】
樹脂製ベース３は、樹脂製ベース３の下に入り込む下側断熱部４により、冷却器５や冷却ファン６を載せ、冷却器５から発生する結露水を受ける露受皿７を支えるような構成とし、下側断熱部４の周囲を囲うように樹脂製ベース３があり、露受皿７は長手方向で樹脂製ベース３と結露水を冷却空間から排出する排水接合部９と接合部８とで部分的に接合される。
【００４２】
なお、排水接合部９は、結露水を圧縮機や凝縮器の熱で蒸発させるために蒸発皿部１０に接続される構成としている。
【００４３】
図３に示すように、樹脂製ベース３は、上側断熱部２と下側断熱部４とが接合する部分の全てわたって存在せず、上側断熱部２と下側断熱部４とが直接嵌合するような構成としている。
【００４４】
以上のように構成された本実施の形態の農産物保冷庫用冷蔵ユニットについて、その動作、作用を説明する。
【００４５】
まず、樹脂製ベース３は、冷却側となる断熱部の内部にある露受皿７の両端部となる排水接合部９および接合部８でのみ繋がっており、冷却器５で冷やされる露受皿７からの伝熱による熱の出入りは部分的に制限されるので、冷却部と外部との熱伝導性は低く抑えられる。露受皿７や蒸発皿部１０、その他構成部品は、すべて樹脂製ベース３に一体化もしくは設置できるので、部品点数などは増加せず、軽量化や部品点数削減による合理化ができる。
【００４６】
以上のように、本実施の形態においては、樹脂製ベース３における下側断熱部４を保持する部分を、上側断熱部２と下側断熱部４とで断熱された冷却空間（冷却器５と冷却ファン６を収納し、保冷庫内の空気を冷却器５で冷却するための風路が形成された空間）に露出しないように下側断熱部４の周囲を押さえ込む形状にしたことにより、樹脂製ベース３の外気に触れる部分と、上側断熱部２と下側断熱部４とで断熱された冷却空間（冷却器５と冷却ファン６を収納し、保冷庫内の空気を冷却器５で冷却するための風路が形成された空間）に面する部分とは、熱が伝わりにくくなる。
【００４７】
したがって、冷蔵ユニットの外郭部分に結露が発生しにくくなる。また、上側断熱部２と下側断熱部４で断熱された冷却空間（冷却器５と冷却ファン６を収納し、保冷庫内の空気を冷却器５で冷却するための風路が形成された空間）側には熱伝導による熱の進入が減るので、冷却性能が向上することとなり、省エネ性能が高くなる。また、より低い温度で冷却することも出来る。
【００４８】
また、上側断熱部２と下側断熱部４とで断熱された冷却空間（冷却器５と冷却ファン６を収納し、保冷庫内の空気を冷却器５で冷却するための風路が形成された空間）に露出する露受皿７は、露受皿７の長手方向の両側でのみ樹脂製ベース３に接合されており、２箇
所の接合部（接合部８と排水接合部９）のうちの一方（排水接合部９）は、露受皿７で受けた結露水を上側断熱部２及び下側断熱部４の外側に導く排水路を兼ねている。
【００４９】
そのため、樹脂製ベース３の外気に触れる部分と、上側断熱部２と下側断熱部４とで断熱された冷却空間に面する部分との熱伝導経路は、主として、露受皿７の長手方向の両側（２箇所）の接合部（接合部８と排水接合部９）を経由するものに制限される。したがって、上側断熱部２と下側断熱部４とで断熱された冷却空間の断熱性を高く維持することができる。
【００５０】
また、接合部（接合部８と排水接合部９）は、露受皿７の長手方向（冷却器５の長手方向）の両側にあるので、樹脂製ベース３の下側断熱部４の周囲を押さえ込む形状部分に対する露受皿７の位置が安定する。
【００５１】
また、露受皿７を、樹脂製ベース３と一体に樹脂成形したので、露受皿７を樹脂製ベース３に取り付ける製造工程が不要になり、樹脂製ベース３に対する露受皿７の位置が安定し、製造が容易になる。また、露受皿７で受けた結露水の排水漏れを防ぎ排水をスムーズに行うことが容易になる。
【００５２】
（実施の形態２）
図４は、本発明の実施の形態２における農産物保冷庫用冷蔵ユニットに用いたベースの斜視図を示すものである。なお、本実施の形態において、実施の形態１と同一構成については、同一符号を付して、その詳細な説明は省略する。
【００５３】
本実施の形態は、実施の形態１の構成から、排水接合部９とならない方の接合部８を無くしたものである。
【００５４】
図４に示すように、樹脂製ベース３は、露受皿７が長手方向の片側となる排水接合部９だけが、下側断熱部４の周囲を固定する部分と部分的に接合され、排水接合部９には、露受皿７からの結露水を流すための排水路が設けられており、結露水は樹脂製ベース３の蒸発皿部１０に流れるように構成している。
【００５５】
以上のように構成された本実施の形態の農産物保冷庫用冷蔵ユニットについて、その動作、作用を説明する。
【００５６】
本実施の形態の樹脂製ベース３では、上側断熱部２と下側断熱部４とで断熱された冷却空間側と、上側断熱部２及び下側断熱部４の外側とが樹脂でつながる部分は一箇所のみになり、より断熱性能が向上する。
【００５７】
また、排水接合部９は下側断熱部４に嵌合するように整形されており、冷却により樹脂を伝わり排水接合部９が冷却されても下側断熱部４の外側になる樹脂製ベース３の蒸発皿部１０の入り口が冷やされることになるので、最悪、結露水が発生しても、蒸発皿部１０に取り込まれるため、結露水の予防のために断熱を補強するなどの処理が必要ない。すなわち、より低い温度で冷却運転することが可能となる。
【００５８】
以上のように、本実施の形態の農産物保冷庫用冷蔵ユニットでは、実施の形態１の作用効果に加えて、実施の形態１よりも、排水接合部９にならない方の接合部８を通る熱伝導がなくなるため、さらに熱伝導性が下がり、断熱性能が上がることとなる。
【００５９】
したがって、実施の形態１よりも、冷蔵ユニットの外郭部分に結露が発生しにくくなる。また、実施の形態１よりも、上側断熱部２と下側断熱部４で断熱された冷却部分（冷却
器５と冷却ファン６を収納する空間）側には熱伝導による熱の進入が減るので、実施の形態１よりも、冷却性能が向上することとなり、省エネ性能が高くなる。また、実施の形態１よりも、より低い温度で冷却することも出来る。
【００６０】
また、冷蔵ユニットの上側断熱部２と下側断熱部４で断熱された冷却部分（冷却器５と冷却ファン６を収納する空間）が冷却されて、接合部（排水接合部）９を通る熱伝導により上側断熱部２及び下側断熱部４の外側で外気に触れ樹脂製ベース３に結露が生じる場合であっても、露受皿７で受けた結露水を溜めて蒸発させるための蒸発皿部１０を結露発生箇所近傍に形成しているので、その結露は蒸発皿部１０に取り込まれるので、結露水の対策を講じる必要がなくなる。
【産業上の利用可能性】
【００６１】
本発明にかかる農産物保冷庫用冷蔵ユニットは、結露の発生を気にすることなく冷却性能を上げることが可能となるので、農産物の保冷用に限らず保冷庫本体の天面に冷蔵ユニットを設ける構造の冷蔵ユニットに適用できる。
【符号の説明】
【００６２】
２  上側断熱部
３  樹脂製ベース
４  下側断熱部
５  冷却器
７  露受皿
８  接合部
９  排水接合部
１０  蒸発皿部
【図１】
2012184855.tif 000003
【図２】
2012184855.tif 000004
【図３】
2012184855.tif 000005
【図４】
2012184855.tif 000006
【図５】
2012184855.tif 000007
【図６】
2012184855.tif 000008
【図７】
2012184855.tif 000009
【図８】
2012184855.tif 000010
【図９】
2012184855.tif 000011